(57)【要約】【課題】視認性を向上させることが可能な水素ガス検知テープを提供する。【解決手段】水素ガス検知テープ１００は、水素ガスが接触すると変色する水素検知剤１１２と、光エネルギーを蓄えて発光する蓄光剤１１４とを備える。蓄光剤１１４を備える構成により、水素ガス検知テープ１００自体、および、水素検知剤１１２の視認性を向上させることが可能となる。【選択図】図１
2018004505.tif 000002
【特許請求の範囲】
【請求項１】
水素ガスの接触により変色する水素検知剤および蓄光剤を含む水素ガス検知テープ。
【請求項２】
前記水素検知剤が含まれる水素検知層と、
前記蓄光剤が含まれる蓄光層と、
を備えたことを特徴とする請求項１に記載の水素ガス検知テープ。
【請求項３】
粘着層を備えたことを特徴とする請求項２に記載の水素ガス検知テープ。
【発明の詳細な説明】
【技術分野】
【０００１】
本発明は、水素ガスを検知する水素ガス検知テープに関する。
【背景技術】
【０００２】
水素ステーション、水素ガス製造プラント、水素ガス利用プラント等の水素ガスを取り扱う設備では、安全性を確保するために、水素ガスの漏洩を検知する水素ガス検知センサが設置されている。
【０００３】
一般に、水素ステーションなどにおいては、定位置に設置された水素ガス検知センサによって、極めて低濃度の水素ガスが漏洩した場合であっても、その漏洩を検知することができ、さらに、その監視もできる。また、水素ガス検知センサによって所定濃度以上の水素ガスの漏洩が検知されると、自動的にシステムがシャットダウンし、さらなる漏洩の防止が図られている。
【０００４】
しかし、極めて低濃度の水素ガスが検知された場合に、その漏洩箇所を詳細に特定するためには、さらに、操作員が配管や機器の設置場所に赴き、携帯型の水素検知器などを用いて漏洩箇所を特定し、その対応措置を行う必要があり、簡便に漏洩箇所を特定する手段がなかった。
【０００５】
これに関連する技術として、水素ガスと反応することで変色する水素ガス検知テープを、配管や容器等の水素ガスの漏洩が生じ得る箇所に貼付する技術（例えば、特許文献１）が開発されている。
【先行技術文献】
【特許文献】
【０００６】
【特許文献１】特開平８−２５３７４２号公報
【発明の概要】
【発明が解決しようとする課題】
【０００７】
ところで、上記水素ガスを取り扱う設備において、配管や容器は暗所に設置されることが多い。このため、上記特許文献１の水素ガス検知テープでは、テープ自体の存在を確認したり、テープの変色を確認したりするために、配管や容器が収容される空間全体を照明で照らしたり、テープ自体をライトで照らしたりする必要がある。
【０００８】
本発明は、このような課題に鑑み、視認性を向上させることが可能な水素ガス検知テープを提供することを目的としている。
【課題を解決するための手段】
【０００９】
上記課題を解決するために、本発明の水素ガス検知テープは、水素ガスの接触により変色する水素検知剤および蓄光剤を含む。
【００１０】
また、前記水素検知剤が含まれる水素検知層と、前記蓄光剤が含まれる蓄光層と、を備えるとしてもよい。
【００１１】
また、粘着層を備えるとしてもよい。
【発明の効果】
【００１２】
本発明によれば、視認性を向上させることが可能となる。
【図面の簡単な説明】
【００１３】
【図１】第１の実施形態にかかる水素ガス検知テープを説明する図である。
【図２】変形例にかかる水素ガス検知テープを説明する図である。
【図３】第２の実施形態にかかる水素ガス検知テープを説明する図である。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
（第１の実施形態：水素ガス検知テープ１００）
図１は、第１の実施形態にかかる水素ガス検知テープ１００を説明する図であり、図１（ａ）は水素ガス検知テープ１００の平面図を示し、図１（ｂ）は図１（ａ）のＩｂ−Ｉｂ線断面の拡大図を示す。なお、図１（ｂ）中、水素検知剤１１２を黒い丸で示し、蓄光剤１１４を白い丸で示すが、理解を容易にするために、実際より大きく記載している。
【００１６】
図１に示すように、水素ガス検知テープ１００は、検知層１１０と、粘着層１２０とを含んで構成される。
【００１７】
検知層１１０は、水素検知剤１１２と、蓄光剤１１４とが、樹脂１１６に分散された層である。水素検知剤１１２は、水素ガスが接触すると変色する物質であり、例えば、酸化パラジウム、酸化パラジウム水化物、酸化タングステン等、既存の物質を利用することができる。
【００１８】
蓄光剤１１４は、光エネルギー（可視光、紫外線等を含む電磁波のエネルギー）を蓄えて発光する物質であり、例えば、硫化物系の蓄光性蛍光体（例えば硫化亜鉛）、アルミン酸塩系蓄光性蛍光体（例えばアルミン酸ストロンチウム）等、既存の物質を利用することができる。
【００１９】
樹脂１１６は、例えば、ポリイソシアネート化合物とポリオール樹脂とを主成分とする２液型ウレタン、アクリル樹脂、アルキド樹脂、ポリウレタン樹脂等で構成される。
【００２０】
粘着層１２０は、水素ガスが漏洩し得る箇所（もしくは、その近傍）に検知層１１０を固定するための層であり、検知層１１０の一方の面（図１中、Ｚ軸方向の一方の面）に当接して設けられる。粘着層１２０は、例えば、非架橋型粘着性樹脂組成物や架橋硬化型粘着性樹脂組成物で構成される。なお、非架橋型粘着性樹脂組成物は、例えば、塩化ビニル樹脂、ポリウレタン樹脂、ポリエステル樹脂、ゴム、ポリアミド樹脂、酢酸ビニル樹脂、アクリル樹脂、エチレン酢酸ビニル共重合体、塩化ビニル酢酸ビニル共重合体であり、架橋硬化型粘着性樹脂組成物は、尿素樹脂、メラミン樹脂、ポリイソシアネート化合物等の硬化剤をエポキシ樹脂、フェノール樹脂、アクリル樹脂、ポリエステル樹脂等の基体樹脂に混合してなる組成物である。
【００２１】
以上説明したように、本実施形態にかかる水素ガス検知テープ１００によれば、蓄光剤１１４を有する構成により、水素ガス検知テープ１００自体、および、水素検知剤１１２の視認性を向上させることができる。したがって、水素ガス検知テープ１００自体の存在の確認作業が容易になるとともに、水素検知剤１１２の変色の有無を容易に確認することが可能となる。
【００２２】
なお、水素ガス検知テープ１００は、水素ガスが漏洩し得る箇所（配管の継手部分等）の上方に貼付されるとよい。水素ガスは空気より軽いため、漏洩した水素は、漏洩箇所より上方に移動する。したがって、水素ガスが漏洩し得る箇所の上方に水素ガス検知テープ１００を貼付することにより、迅速かつ確実に水素ガスの漏洩を検知することができる。
【００２３】
（変形例）
上記実施形態において、水素検知剤１１２と蓄光剤１１４とが同一の検知層１１０に含まれる水素ガス検知テープ１００について説明した。しかし、水素検知剤１１２を含む層と、蓄光剤１１４を含む層とが別々に設けられていてもよい。
【００２４】
図２は、変形例にかかる水素ガス検知テープ２００を説明する図であり、図２（ａ）は第１の変形例にかかる水素ガス検知テープ２００の平面図を示し、図２（ｂ）は図２（ａ）のＩＩｂ−ＩＩｂ線断面の拡大図を示し、図２（ｃ）は第２の変形例にかかる水素ガス検知テープ２５０の平面図を示し、図２（ｄ）は図２（ｃ）のＩＩｄ−ＩＩｄ線断面の拡大図を示す。なお、図２（ｂ）、（ｄ）中、水素検知剤１１２を黒い丸で示し、蓄光剤１１４を白い丸で示すが、理解を容易にするために、実際より大きく記載している。
【００２５】
図２（ａ）、（ｂ）に示すように、第１の変形例にかかる水素ガス検知テープ２００は、水素検知層２１０と、蓄光層２２０と、粘着層１２０とを含んで構成される。水素検知層２１０は、水素検知剤１１２が樹脂１１６に分散された層である。蓄光層２２０は、蓄光剤１１４が樹脂１１６に分散された層である。水素ガス検知テープ２００において、水素検知層２１０と蓄光層２２０とは隣接して（図２（ａ）、（ｂ）中、Ｙ軸方向に隣接して）設けられている。
【００２６】
第１の変形例にかかる水素ガス検知テープ２００では、水素検知剤１１２を含む水素検知層２１０に隣接して、蓄光層２２０が設けられる構成により、水素検知剤１１２の視認性を向上させることが可能となる。
【００２７】
図２（ｃ）、（ｄ）に示すように、第２の変形例にかかる水素ガス検知テープ２５０は、水素検知層２１０と、蓄光層２２０と、粘着層１２０とを含んで構成される。水素ガス検知テープ２５０において、蓄光層２２０は、水素検知層２１０を囲繞して設けられる。かかる構成により、水素検知剤１１２の視認性をさらに向上させることが可能となる。
【００２８】
（第２の実施形態：水素ガス検知テープ３００）
図３は、第２の実施形態にかかる水素ガス検知テープ３００を説明する図であり、図３（ａ）は水素ガス検知テープ３００の平面図を示し、図３（ｂ）は図３（ａ）のＩＩＩｂ−ＩＩＩｂ線断面の拡大図を示す。なお、図３（ｂ）中、水素検知剤１１２を黒い丸で示し、蓄光剤１１４を白い丸で示すが、理解を容易にするために、実際より大きく記載している。
【００２９】
図３に示すように、水素ガス検知テープ３００は、水素検知層２１０と、２つの蓄光層２２０と、２つの粘着層１２０とを含んで構成される。水素検知層２１０は、２つの蓄光層２２０の間に設けられる。また、蓄光層２２０における一方の面（図３中、Ｚ軸方向の一方の面）には、粘着層１２０が設けられるが、水素検知層２１０における一方の面には粘着層１２０が配されない。
【００３０】
かかる構成により、水素ガスが漏洩し得る箇所に水素ガス検知テープ３００を貼付した場合に、漏洩した水素ガスは、粘着層１２０を通過することなく、水素検知層２１０に直接導かれることとなる。したがって、水素ガス検知テープ３００は、水素ガス検知テープ３００自体および水素検知剤１１２の視認性の向上に加えて、水素検知層２１０による水素ガスの検知感度を向上させることが可能となる。
【００３１】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３２】
例えば、第１の実施形態における水素ガス検知テープ１００は、検知層１１０のうち、粘着層１２０が設けられる面の逆側の面に、検知層１１０を保護する保護層を備えてもよい。同様に、第１の変形例における水素ガス検知テープ２００、第２の変形例における水素ガス検知テープ２５０は、水素検知層２１０および蓄光層２２０のうち、粘着層１２０が設けられる面の逆側の面に、水素検知層２１０および蓄光層２２０を保護する保護層を備えてもよい。また、第２の実施形態における水素ガス検知テープ３００は、蓄光層２２０のうち粘着層１２０が設けられる面の逆側の面および、当該逆側の面と略面一となる水素検知層２１０の面に保護層を備えてもよい。これにより、検知層１１０、水素検知層２１０、蓄光層２２０を保護することができる。なお、保護層は、透明度が高く、水素の透過率が大きい材料で構成されるとよい。これにより、水素ガス検知テープ１００、２００、２５０、３００の視認性を確保することができ、また、水素ガスの検知感度の低下を抑制することが可能となる。
【００３３】
また、水素ガス検知テープ１００、２００、２５０、３００が、粘着層１２０を備える構成を例に挙げて説明した。しかし、粘着層１２０は必須の構成ではない。
【００３４】
また、上記第１の実施形態において、検知層１１０と、粘着層１２０とが異なる層で構成される水素ガス検知テープ１００について説明した。しかし、粘着層１２０が水素検知剤１１２および蓄光剤１１４を含んでもよい。また、水素検知剤１１２を含む粘着層１２０と、蓄光剤１１４を含む粘着層１２０とが隣接して設けられてもよい。
【００３５】
また、水素検知層２１０を最上面に、蓄光層２２０を水素検知層２１０の下面に、粘着層１２０を蓄光層２２０の下面とした、各層が分離された構成の水素ガス検知テープとしてもよい。
【００３６】
また、プラスチック（例えば、アクリル）や、水を通さないシール等（材料は問わない）を水素検知テープの表面に付し、水分から水素検知テープを保護してもよい。
【産業上の利用可能性】
【００３７】
本発明は、水素ガスを検知する水素ガス検知テープに利用することができる。
【符号の説明】
【００３８】
１００、２００、２５０、３００  水素ガス検知テープ
１１０  検知層
１１２  水素検知剤
１１４  蓄光剤
１２０  粘着層
２１０  水素検知層
２２０  蓄光層
【図１】
2018004505.tif 000003
【図２】
2018004505.tif 000004
【図３】
2018004505.tif 000005